(57)【要約】【課題】蛍光ランプ及び有機ＥＬを光源として備えた照明器具であって、有機ＥＬが発する熱によって、蛍光ランプの点灯回路に加えられる負担を小さく抑えることのできる照明器具を提供する。【解決手段】照明器具１は、環状を呈する蛍光ランプ１１，１２と、環状を呈し、蛍光ランプ１１，１２と中心を一致させて配置される有機ＥＬ１３と、蛍光ランプ１１，１２及び有機ＥＬ１３を点灯させるための点灯回路１４と、蛍光ランプ１１，１２、有機ＥＬ１３、点灯回路１４が固定される板金１０とを有している。有機ＥＬ１３は、蛍光ランプ１１，１２よりも下方に配置されて、蛍光ランプ１１，１２と高さ方向に離隔している。点灯回路１４は、有機ＥＬ１３の環中心に配置されて、有機ＥＬ１３と水平方向に離隔している。【選択図】図１
2011014489.tif 000002
【特許請求の範囲】
【請求項１】
蛍光ランプと、
前記蛍光ランプよりも下方に配置されることで、前記蛍光ランプと高さ方向に離隔する有機ＥＬと、
前記蛍光ランプ及び前記有機ＥＬを点灯させるために設けられ、前記有機ＥＬから離隔して配置される点灯回路と、
前記蛍光ランプ、前記有機ＥＬ、及び前記点灯回路が固定される板金とを有することを特徴とする照明器具。
【請求項２】
前記蛍光ランプ及び前記有機ＥＬは、環状を呈して、互いの中心を一致させて配置され、
前記点灯回路は、前記有機ＥＬの環中心に配置されて、前記有機ＥＬと水平方向に離隔することを特徴とする請求項１に記載の照明器具。
【請求項３】
前記点灯回路は、前記蛍光ランプ及び前記有機ＥＬの調光を行うことができ、
所定の照度よりも明るい照明は、前記点灯回路が前記蛍光ランプを調光することによって得られ、前記所定の照度よりも暗い照明は、前記点灯回路が、前記有機ＥＬを調光することによって得られることを特徴とする請求項１又は２に記載の照明器具。
【請求項４】
前記有機ＥＬは、複数のパネルから構成され、
前記点灯回路は、前記パネル毎に調光を行うことを特徴とする請求項１乃至３のいずれか１項に記載の照明器具。
【請求項５】
前記有機ＥＬは、消灯時に透明となる部材によって構成されることを特徴とする請求項１乃至４のいずれか１項に記載の照明器具。
【請求項６】
前記有機ＥＬは、消灯時に半透明となる材質によって構成されることを特徴とする請求項１乃至４のいずれか１項に記載の照明器具。
【発明の詳細な説明】
【技術分野】
【０００１】
本発明は、照明器具に関し、より詳細には、蛍光ランプ及び有機ＥＬ(Electro Luminescence)を光源として備えた照明器具に関する。
【背景技術】
【０００２】
現在、蛍光ランプを備えた家庭用の照明器具として、蛍光ランプを全光状態の５％から１０％まで調光可能な照明器具が普及している。
【０００３】
この種の照明器具では、一般に、インバータ回路の高周波出力により蛍光ランプを高周波点灯させ、このインバータ回路の出力を変化させることにより、蛍光ランプを調光させるようになっている。
【０００４】
また、特許文献１には、有機ＥＬパネルを主光源として備えた照明器具が開示されている。図３は、特許文献１に示される照明器具１００を下から見た概略平面図である。
【０００５】
特許文献１の照明器具１００では、有機ＥＬパネル１０１によってほぼ全体が構成されている。有機ＥＬパネル１０１は、ガラス基板や、ガラス基板に積層される電極層・有機発光層・電極等を備えるものであって、中央に開口部１０２が形成されている。そして開口部１０２には、ＬＥＤやランプなどの発光素子が補助的な光源として配置される。
【先行技術文献】
【特許文献】
【０００６】
【特許文献１】特開２００７−１７３４２４号公報
【発明の概要】
【発明が解決しようとする課題】
【０００７】
ところで、上述の蛍光ランプを調光可能な照明器具では、蛍光ランプの明るさを最小レベルに落とすと、蛍光ランプのフィラメントに予熱電流が十分に流れないことで蛍光ランプが黒化することが懸念される。
【０００８】
そこで上記の蛍光ランプの黒化を回避すべく、蛍光ランプを備えた照明器具に、調光が容易な有機ＥＬを取り付けることが考えられる。しかしながら、有機ＥＬを、蛍光ランプや有機ＥＬの点灯回路に接近させて配置すると、有機ＥＬが発する熱によって、点灯回路に大きな負担が加えられてしまう。
【０００９】
本発明は、こうした状況に鑑みてなされたものであり、蛍光ランプ及び有機ＥＬを光源として備えた照明器具であって、有機ＥＬが発する熱によって、蛍光ランプや有機ＥＬの点灯回路に加えられる負担を小さく抑えることのできる照明器具を提供することを目的とする。
【課題を解決するための手段】
【００１０】
上記目的を達成するため、本発明に係る照明器具は、蛍光ランプと、前記蛍光ランプよりも下方に配置されることで、前記蛍光ランプと高さ方向に離隔する有機ＥＬと、前記蛍光ランプ及び前記有機ＥＬを点灯させるために設けられ、前記有機ＥＬから離隔して配置される点灯回路と、前記蛍光ランプ、前記有機ＥＬ、及び前記点灯回路が固定される板金とを有することを特徴とする。
【発明の効果】
【００１１】
本発明の照明器具によれば、点灯回路が有機ＥＬから離隔して配置されることで、有機ＥＬが発する熱によって、点灯回路に加えられる負担を小さく抑えることができる。
【図面の簡単な説明】
【００１２】
【図１】本発明の実施の形態における照明器具の斜視図である。
【図２】本発明の実施の形態における照明器具を下から見た概略平面図である。
【図３】特許文献１に示される照明器具を下から見た概略平面図である。
【発明を実施するための形態】
【００１３】
以下、本発明の実施の形態について図を参照しながら詳細に説明する。なお、図中同一または相当部分には同一符号を付し、その説明は繰り返さない。図１は、本発明の実施の形態における照明器具１の斜視図であり、図２は、本発明の実施の形態における照明器具１を下から見た概略平面図である。
【００１４】
照明器具１は、板金１０と、２つの蛍光ランプ１１，１２と、有機ＥＬ１３と、蛍光ランプ１１，１２及び有機ＥＬ１３を点灯させるための点灯回路１４とを備え、蛍光ランプ１１，１２・有機ＥＬ１３・点灯回路１４は、板金１０に固定されている。
【００１５】
蛍光ランプ１１，１２と有機ＥＬ１３とは、環状を呈しており、図２に示すように、蛍光ランプ１１の径は、蛍光ランプ１２の径に比して大きく、有機ＥＬ１３の径は、蛍光ランプ１１の径と同程度になっている。
【００１６】
蛍光ランプ１１，１２と有機ＥＬ１３とは、これらの中心を一致させて配置されている。点灯回路１４は、有機ＥＬ１３の環中心に配置されており、有機ＥＬ１３から水平方向に離隔している。また、蛍光ランプ１１と蛍光ランプ１２とは同一の高さに配置され、また、有機ＥＬ１３は、蛍光ランプ１１，１２よりも下方に配置されて、蛍光ランプ１１，１２から高さ方向に離隔している。
【００１７】
上述のように構成された照明器具１は、広く普及する家庭用の照明器具と類似した外観を有している。
【００１８】
すなわち、照明器具１は、環状の蛍光ランプと、これよりも下方に配置される環状のセードとを備えた既存の照明器具に対して外観上大差ないよう構成されたものであって、有機ＥＬ１３を、蛍光ランプ１１，１２と同様に環状にして、蛍光ランプ１１，１２よりも下方に配置することで、有機ＥＬ１３にセードと類似した外観を持たせている。
【００１９】
点灯回路１４は、高周波の出力を変化させることにより、蛍光ランプ１１，１２を調光させることができ、またＰＭＷ制御や電流調整などにより、有機ＥＬ１３の調光を行うことができる。
【００２０】
照明器具１では、蛍光ランプ１１，１２の黒化を回避するために、所定の照度を境として、点灯回路１４によって調光される対象が切り替えられるようになっている。すなわち、蛍光ランプ１１，１２の全光状態の２０％よりも明るい照明は、点灯回路１４が蛍光ランプ１１，１２を調光することによって得られ、全光状態の２０％よりも暗い照明は、点灯回路１４が、有機ＥＬ１３を調光することによって得られる。
【００２１】
また、点灯回路１４による制御により、蛍光ランプ１１，１２の点灯時に有機ＥＬ１３は消灯するようになっており、この際、蛍光ランプ１１，１２から発させられる光が有機ＥＬ１３を通過できるように、有機ＥＬ１３は、消灯時に透明となる部材によって構成される。
【００２２】
本実施形態によれば、有機ＥＬ１３が点灯回路１４から水平方向に離隔していることで、有機ＥＬ１３が発する熱によって、点灯回路１４に加えられる負担を小さく抑えることができる。
【００２３】
また、有機ＥＬ１３が、蛍光ランプ１１，１２から高さ方向に離隔していることで、蛍光ランプ１１，１２が発する熱によって、有機ＥＬ１３の発光効率が低下することを小さく抑えることができる。
【００２４】
また、有機ＥＬ１３に、既存の照明器具のセードに類似した外観を持たせていることで、照明器具１は広く普及する既存の照明器具と大差のない外観を有している。これにより、使用者に違和感を与えることがない。
【００２５】
本発明は、上記実施の形態に限らず、特許請求の範囲において種々変更することができる。
【００２６】
例えば、光による演出を可能とすべく、有機ＥＬ１３を複数のパネルから構成して、点灯回路１４によってパネル毎の調光が行われるようにしてもよい。
【００２７】
また、有機ＥＬ１３は、消灯時に半透明となる部材によって構成されてもよい。このようにすることで、有機ＥＬ１３は、蛍光ランプ１１，１２の照明に対してセードとして機能するようになる。
【００２８】
また、蛍光ランプ及び有機ＥＬの形状は、上述した実施の形態に示す形状に限られない。
【００２９】
例えば、蛍光ランプは、直管型の発光管によって構成されてもよいし、有機ＥＬは円板状に形成されてもよい。有機ＥＬを円板状に形成する場合には、点灯回路は、有機ＥＬから高さ方向に離隔される。このようにすることで、有機ＥＬが発する熱により、点灯回路１４に加えられる負担を小さく抑えることができる。また、有機ＥＬを円板状に形成する場合には、例えば、有機ＥＬは、消灯時に透明となる部材によって構成される。このようにすることで、蛍光ランプから発せられた光が有機ＥＬを透過するようになるため、有機ＥＬが蛍光ランプの直下全体を覆っていたとしても、蛍光ランプの光によって室内等の空間を照明することができる。
【００３０】
また、本発明の照明器具は、壁に固定するためのブラケット基台と、該ブラケット基台に取り付ける蛍光ランプとを備えたブラケット照明装置として構成されてもよい。この場合、ブラケット基台は有機ＥＬによって構成され、スイッチのオン・オフ操作によって、蛍光ランプ及び有機ＥＬの点灯が切り替えられ得る。
【００３１】
その他、本発明の好適な変形として、以下の構成が含まれる。
【００３２】
本発明の観点に係る照明器具について、好ましくは、前記蛍光ランプ及び前記有機ＥＬは、環状を呈して、互いの中心を一致させて配置され、前記点灯回路は、前記有機ＥＬの環中心に配置されて、前記有機ＥＬと水平方向に離隔することを特徴とする。
【００３３】
好ましくは、前記点灯回路は、前記蛍光ランプ及び前記有機ＥＬの調光を行うことができ、所定の照度よりも明るい照明は、前記点灯回路が前記蛍光ランプを調光することによって得られ、前記所定の照度よりも暗い照明は、前記点灯回路が、前記有機ＥＬを調光することによって得られることを特徴とする。
【００３４】
好ましくは、前記有機ＥＬは、複数のパネルから構成され、前記点灯回路は、前記パネル毎に調光を行うことを特徴とする。
【００３５】
好ましくは、前記有機ＥＬは、消灯時に透明となる部材によって構成されることを特徴とする。
【００３６】
またあるいは、前記有機ＥＬは、消灯時に半透明となる材質によって構成されることを特徴とする。
【符号の説明】
【００３７】
１  照明器具
１０  板金
１１，１２  蛍光ランプ
１３  有機ＥＬ
１４  点灯回路
【図１】
2011014489.tif 000003
【図２】
2011014489.tif 000004
【図３】
2011014489.tif 000005